(57)【要約】【課題】車椅子の搭乗者に対して使い勝手を向上させた車椅子用洗面台を提供する。【解決手段】車椅子搭乗者の脚部挿入用スペース９と、脚部挿入用スペース９の上方に配置される洗面ボウル２１と、脚部挿入用スペース９の側方に配置されたサイドキャビネット６とを備える。サイドキャビネット６は、前面に取手８が設けられて前方にスライド可能な引出部７を有する。取手８は、上下方向に延びた把持部８１を有する。【選択図】図１
2018033755.tif 000002
【特許請求の範囲】
【請求項１】
車椅子搭乗者の脚部挿入用スペースと、
前記脚部挿入用スペースの上方に配置される洗面ボウルと、
前記脚部挿入用スペースの側方に配置されるサイドキャビネットと
を備え、
前記サイドキャビネットは、前面に取手が設けられて前方にスライド可能な引出部を有するものであり、
前記取手は、上下方向に延びた把持部を有する
ことを特徴とする車椅子用洗面台。
【請求項２】
前記洗面ボウルの周囲に設けられ、その上面が前記洗面ボウルの内面に連続するカウンタ部をさらに備え、
前記サイドキャビネットが前記カウンタ部に隣り合って配置されており、
前記サイドキャビネットの上面が前記カウンタ部の上面よりも上方に位置し、かつ、前記サイドキャビネットにおける前記カウンタ部に隣り合う側面と前記カウンタ部の上面との入隅部に止水材が設けられている
ことを特徴とする請求項１記載の車椅子用洗面台。
【請求項３】
前記洗面ボウルの後方でかつ上方に配置されたミラーをさらに備え、
前記ミラーにおける前記サイドキャビネット側の端部は、前記サイドキャビネットの上方に位置している
ことを特徴とする請求項１または請求項２記載の車椅子用洗面台。
【請求項４】
前記ミラーの前記サイドキャビネット側の端部が、前記サイドキャビネットに載置されている
ことを特徴とする請求項３記載の車椅子用洗面台。
【請求項５】
前記把持部は、前記引出部の前面における左右方向の中央部に配置されている
ことを特徴とする請求項１〜４のいずれか一項に記載の車椅子用洗面台。
【請求項６】
前記サイドキャビネットは、前記洗面ボウルに対し左右方向のうちのいずれか一方に配置されている
ことを特徴とする請求項１〜５のいずれか一項に記載の車椅子用洗面台。
【請求項７】
前記洗面ボウルの周囲に設けられ、その上面が前記洗面ボウルの内面に連続するカウンタ部と、
前記洗面ボウルの左右方向の両側に設けられて前記カウンタ部を支持し、その間に前記脚部挿入用スペースが形成された一対の側板と
をさらに備え、
前記一対の側板のうち、いずれか一方の側板には前記サイドキャビネットが隣り合って配置されており、他方の側板は、少なくとも前記側板の上下方向の中央部から下端部にかけて、前記カウンタ部において最も前側に位置する部分よりも後方に位置するように構成されている
ことを特徴とする請求項６に記載の車椅子用洗面台。
【請求項８】
前記洗面ボウルの前方において前記一対の側板に掛け渡された幕板をさらに備えている
ことを特徴とする請求項７記載の車椅子用洗面台。
【請求項９】
前記取手は、前記把持部を把持する手が、前記把持部の長さ方向のうちのいずれに対しても移動するのを規制する移動規制部を有している
ことを特徴とする請求項１〜８のいずれか一項に記載の車椅子用洗面台。
【請求項１０】
前記引出部は、
上下方向に並び、前方にスライド可能な複数の収納棚と、
前記複数の収納棚の前端部に取り付けられ、前記取手が取り付けられた前板と
を有している
ことを特徴とする請求項１〜９のいずれか一項に記載の車椅子用洗面台。
【発明の詳細な説明】
【技術分野】
【０００１】
本発明は、車椅子用洗面台に関する。
【背景技術】
【０００２】
特許文献１には、従来の車椅子用洗面台が開示されている。この特許文献１記載の洗面台は、床面の上方にスペースを介して配置された洗面ボウルを有している。この床面と洗面ボウルとの間のスペースは、車椅子の搭乗者の脚部を挿通するためのスペース（以下、脚部挿通用スペースという）となっており、車椅子の搭乗者は、当該スペースに脚部を挿通することで洗面ボウルを使用することができる。
【０００３】
この従来の洗面台には、脚部挿通用スペースの側方に収納部が設けられている。収納部には、扉パネルが回転可能に取り付けられている。この収納部は、脚部挿通用スペースの側方に配置されることで、車椅子の搭乗者が座ったままの姿勢で、扉パネルを回転させて開くことができる。
【先行技術文献】
【特許文献】
【０００４】
【特許文献１】特開平０９−３２７４０４号公報
【発明の概要】
【発明が解決しようとする課題】
【０００５】
ところで、この従来の洗面台の収納部の前面には、摘まみ状の取手が取り付けられている。しかしながら、この摘まみ状の取手は、車椅子の搭乗者が座ったままの姿勢ではとりわけ力を入れにくく、搭乗者にとって使い勝手が悪い。
【０００６】
しかも、従来の洗面台のように、扉パネルを回転させて開く収納部にあっては、取手を摘まんだ状態で扉パネルを開くと、取手が搭乗者から離れる方向に移動するため、一層、使い勝手が悪い。
【０００７】
本発明は、上記事情に鑑みてなされたものであり、その目的とするところは、車椅子の搭乗者に対して使い勝手を向上させた車椅子用洗面台を提供することにある。
【課題を解決するための手段】
【０００８】
本発明の車椅子用洗面台は、車椅子搭乗者の脚部挿入用スペースと、前記脚部挿入用スペースの上方に配置される洗面ボウルと、前記脚部挿入用スペースの側方に配置されるサイドキャビネットとを備え、前記サイドキャビネットは、前面に取手が設けられて前方にスライド可能な引出部を有するものであり、前記取手は、上下方向に延びた把持部を有することを特徴とする。
【発明の効果】
【０００９】
本発明の車椅子用洗面台によれば、車椅子の搭乗者に対して使い勝手を向上させることができる。
【図面の簡単な説明】
【００１０】
【図１】本発明の一実施形態の車椅子用洗面台の斜視図である。
【図２】同上の車椅子用洗面台において、ミラーとサイドキャビネットを実線で示し、その他を想像線で示した斜視図である。
【図３】同上のカウンタ部とサイドキャビネットとの入隅部周辺の拡大斜視図である。
【図４】同上のサイドキャビネットの斜視図である。
【図５】同上のサイドキャビネットの把持部を掴んだ状態の斜視図である。
【発明を実施するための形態】
【００１１】
以下、本発明の実施形態について添付図面に基づいて説明する。
【００１２】
本実施形態の車椅子用洗面台は、車椅子に搭乗する人（車椅子搭乗者という）の使い勝手を考慮した洗面台である。車椅子用洗面台は、床面からなる設置面に設置されている。本実施形態の車椅子用洗面台は、図１に示すように、洗面台本体１と、ミラー５と、サイドキャビネット６とを備えている。
【００１３】
本実施形態では、使用する状態において、洗面台本体１から車椅子搭乗者に向かう方向を前方とし、それに対向する方向を後方として定義する。また、車椅子搭乗者が洗面台本体１に向かう姿勢において、左右方向を定義する。
【００１４】
洗面台本体１は、車椅子用洗面台の主体を構成する。洗面台本体１は、洗面カウンタ２と、この洗面カウンタ２を支持する一対の側板３と、幕板４とを備えている。
【００１５】
洗面カウンタ２は、洗面台本体１の上面を構成する部材である。洗面カウンタ２は、洗面ボウル２１と、洗面ボウル２１の周囲に設けられたカウンタ部２２と、カウンタ部２２において洗面ボウル２１の後方に位置する部分に配置された水栓２４とを備えている。洗面ボウル２１とカウンタ部２２とは、例えば合成樹脂により一体成型されている。
【００１６】
洗面ボウル２１は、上方に開口した容器状に形成されており、水栓２４から吐出された湯水を受けることができる。洗面ボウル２１の底面には、排水口２５（図２）が設けられている。洗面ボウル２１の底面は、排水口２５に向かって下り傾斜している。
【００１７】
カウンタ部２２は、上面に物を載置できる部分であり、洗面ボウル２１の上方開口部から水平面に沿ってフランジ状に突出している。カウンタ部２２は、平面視略矩形状に形成されている。カウンタ部２２の上面は、洗面ボウル２１に向かって下り傾斜しており、洗面ボウル２１の内面に連続している。
【００１８】
水栓２４は、カウンタ部２２において、洗面ボウル２１の後方に配置されている。水栓２４は、湯または水（以下、湯水という）を吐出することができる。
【００１９】
このような洗面カウンタ２は、一対の側板３によって支持される。一対の側板３は、カウンタ部２２の左側の端部と、右側の端部とに一対一で配置されており、洗面ボウル２１の左右方向の両側に配置されている。すなわち、一対の側板３は左右方向に離れており、洗面ボウル２１と設置面との間にスペースを形成する。この一対の側板３の対向面の間に形成されたスペースは、車椅子搭乗者の脚部の挿入用スペースとなる（以下、脚部挿入用スペース９という）。
【００２０】
一対の側板３は、互いに同じ形状に形成されている。各側板３は、少なくとも中央部から下端部にかけて、幅狭に形成されており、洗面カウンタ２の最も前側に位置する部分よりも後方に位置するように形成されている。特に、本実施形態の側板３は、上端部の幅がカウンタ部２２の前後方向の長さと同じ長さに形成され、上端部よりも下方に位置する部分の幅が、側板３の上端部よりも幅狭に形成されている。
【００２１】
これによって、例えば、脚部挿入用スペース９に脚部を挿入した状態の車椅子搭乗者が、左向きに９０°転回した場合にも、当該脚部が側板３に衝突するのを回避することができる。
【００２２】
また、洗面台本体１は、一対の側板３に掛け渡された幕板４を有している。幕板４は、左右方向に長さを有し、上下方向に幅を有している。幕板４は、正面から見た状態（以下、正面視）において、洗面ボウル２１を覆う。これにより、幕板４は、洗面ボウル２１の裏面が室内に露出して外観を損ねるのを防ぐことができる。
【００２３】
このような構成の洗面台本体１の上方には、正面視矩形状のミラー５が配置されている。ミラー５の鏡面は正面に臨んでいる。ミラー５は、カウンタ部２２の立上部２３に載置された状態で、壁面に固定されている。
【００２４】
ここで、立上部２３は、カウンタ部２２の後方側の縁部に、当該縁部の全長にわたって形成されている。立上部２３は、カウンタ部２２の上面から上方に突出している。立上部２３は、カウンタ部２２に一体成型されており、立上部２３の前面はカウンタ部２２の上面に連続している。
【００２５】
ミラー５の左側の端面は、カウンタ部２２の左側の端面と略面一となるように配置されている。また、ミラー５の右側の端部は、図２に示すように、サイドキャビネット６の上方に位置している（より詳しくは、ミラー５の右側の端部はサイドキャビネット６に載置されている）。このように、本実施形態のミラー５の左右方向の長さは、洗面カウンタ２の左右方向の長さよりも長く、かつ、洗面カウンタ２とサイドキャビネット６とを合わせた左右方向の長さよりも短く形成されている。このため、本実施形態の車椅子用洗面台によれば、ミラー５の鏡面を、サイドキャビネット６から突出しない限りにおいて、できるだけ広く採ることができる。
【００２６】
なお、符号５１は、ミラー５の上端部に取り付けられた照明器具であり、符号５２は、ミラー５の右側の端部に取り付けられたコンセントボックスである。
【００２７】
サイドキャビネット６は、洗面台本体１の左右方向のうちのいずれか一方（本実施形態では洗面台本体１の右側）に隣り合って配置されており、これにより、サイドキャビネット６は脚部挿入用スペース９の側方に配置されている。具体的に、サイドキャビネット６は、一対の側板３のうちの右側の側板３に隣接配置されており、図示しない連結金具によって洗面台本体１に連結されている。
【００２８】
サイドキャビネット６の上面は、水平面に形成されており、小物等を載置することができる。サイドキャビネット６の上面６２ａは、図３に示すように、カウンタ部２２の上面よりも上方に位置し、かつ、サイドキャビネット６におけるカウンタ部２２に隣り合う側面がカウンタ部２２の上面と隣接している。このサイドキャビネット６の側面とカウンタ部２２の上面とでなす入隅部には、シーリング材が配置されており、これによって、サイドキャビネット６の側面とカウンタ部２２の上面とが接続されている。
【００２９】
このように、カウンタ部２２のサイドキャビネット６側の縁部には、サイドキャビネット６の側面が立ち上がっており、当該側面が堰として機能する。このため、サイドキャビネット６の上面６２ａに小物を載置することで、小物を濡れないように載置することができる。
【００３０】
図４には、洗面台本体１およびミラー５を省略したサイドキャビネット６の斜視図を示す。図４に示すように、本実施形態のサイドキャビネット６は、キャビネット本体６１と、前方にスライド可能な引出部７とを備えている。
【００３１】
キャビネット本体６１は、天面板６２、一対の側面板６３、奥面板６４、底面板６５を有しており、前方に開口した縦長の箱状に形成されている。
【００３２】
引出部７は、キャビネット本体６１の内部に収納可能な複数の収納棚７１と、前板７２とを備えている。複数の収納棚７１は、上下方向に２列並んでいる。各収納棚７１は、底板７１１と、底板７１１の左右方向の端部から上方に突出した一対の落下防止部７１２とを備えている。各収納棚７１は、キャビネット本体６１の一対の側面板６３に対し、レールを介して取り付けられており、スライド可能に取り付けられている。
【００３３】
前板７２は、複数の収納棚７１の前端部に取り付けられている。これにより、前板７２を前方に移動させると、複数の収納棚７１は同時に前方に引き出される。前板７２は、左右方向に幅を有し、上下方向に長さを有している。前板７２の幅方向の中央部で、かつ前板７２の上端部には、取手８が取り付けられている。
【００３４】
取手８は、把持部８１と、把持部８１を前板７２に取り付ける一対の取付部８２とで構成されており、側面視略Ｕ字状に形成されている。把持部８１は、ユーザーが掴む（握る）部分である。把持部８１は、上下方向に延びており、前板７２の前方に隙間を介して離れている。把持部８１は、車椅子搭乗者の手を、把持部８１と前板７２との間に向かって、把持部８１の左右方向のいずれかの方向から挿入することで掴むことができる。
【００３５】
一対の取付部８２は、把持部８１を、前板７２に対して離れた状態で固定する。一対の取付部８２は、把持部８１の上下方向の両端部から後方に突出している。取付部８２の後方側の端部は、前板７２にねじ止めされる。
【００３６】
一対の取付部８２は、上下方向に離れており、対向間の隙間は、およそ１０ｃｍ程度に設定されている。すなわち、図５に示すように、本実施形態の取付部８２は、車椅子搭乗者が把持部８１を掴んだ状態において、手の直ぐ上方と直ぐ下方とに配置される。これにより、車椅子搭乗者の把持部８１を把持する手が、上下方向のいずれに対しても移動するのを規制することができる（つまり、本実施形態において、一対の取付部８２は、移動規制部を構成する）。
【００３７】
したがって、例えば、老人や障がい者等の車椅子搭乗者が、取手８を掴んだ状態で引出部７を引くに際し、力が弱い等で水平に引けなくても、引く力を効果的に引出部７に伝えることができる。ここで、仮に、一対の取付部８２の上下方向の隙間が手のサイズよりも広い場合において、力の弱い車椅子搭乗者が座ったままの姿勢で引出部７を引くと、把持部８１の長さ方向に沿って手が移動してしまうことがある。これに対し、上下方向に延びた把持部に移動規制部が設けられていると、これを効果的に抑制できる。
【００３８】
移動規制部としては、一対の取付部８２に限らず、例えば、取付部８２とは別に把持部８１から突出した一対の突起により構成されてもよいし、把持部８１に取り付けられたゴムグリップにより構成されてもよい。
【００３９】
また、仮に把持部８１が水平方向に延びている場合、取手８を握る手のひらは、力を抜いた自然状態である鉛直面に沿った姿勢（垂直姿勢）から、水平姿勢に回転させる動作が必要となる。一方、把持部８１が上下方向に延びている場合、取手８を握る手のひらを水平姿勢にする必要がないので、垂直姿勢のまま手のひらを上方に移動させるだけでよく、手のひらを回転させる動作は必要ない。
【００４０】
以上、説明したように、本実施形態の車椅子用洗面台は、洗面ボウル２１と、サイドキャビネット６とを備える。洗面ボウル２１の下方には、車椅子搭乗者の脚部挿入用スペース９が設けられる。サイドキャビネット６は、脚部挿入用スペース９の側方に配置されている。またサイドキャビネット６は、前面に取手８が取り付けられて前方にスライド可能な引出部７を有する。取手８は、上下方向に延びた把持部８１を有する。この構成によれば、脚部挿入用スペース９に脚部を挿入した車椅子搭乗者が、車椅子に座ったままの姿勢でも、把持部８１を把持しやすく、また、力を入れやすい。この結果、本実施形態の車椅子用洗面台によれば、車椅子の搭乗者に対して使い勝手を向上させることができる。
【００４１】
また、本実施形態の車椅子用洗面台は、次の付加的な構成を備える。すなわち、本実施形態の車椅子用洗面台は、カウンタ部２２をさらに備える。カウンタ部２２は、洗面ボウル２１の周囲に設けられ、その上面が洗面ボウル２１の内面に連続する。サイドキャビネット６は、カウンタ部２２に隣り合って配置されている。サイドキャビネット６の上面がカウンタ部２２の上面よりも上方に位置し、かつ、サイドキャビネット６におけるカウンタ部２２に隣り合う側面とカウンタ部２２の上面とでなす入隅部に止水材が配置されている。この構成によれば、カウンタ部２２のサイドキャビネット６側の端部において、サイドキャビネット６の側面が堰として機能する。このため、サイドキャビネット６の上面に小物を載置することで、当該小物を濡れにくい状態で載置することができる。
【００４２】
また、本実施形態の車椅子用洗面台は、次の付加的な構成を備える。すなわち、本実施形態の車椅子用洗面台は、洗面ボウル２１の後方でかつ上方に配置されたミラー５をさらに備える。ミラー５におけるサイドキャビネット６側の端部は、サイドキャビネット６の上方に位置している。この構成によれば、ミラー５の幅を広くとることができ、鏡面をできる限り広くすることができる。
【００４３】
また、本実施形態の車椅子用洗面台は、次の付加的な構成を備える。すなわち、本実施形態の車椅子用洗面台は、ミラー５のサイドキャビネット６側の端部が、サイドキャビネット６に載置されている。この構成によれば、ミラー５の安定した支持状態を、サイドキャビネット６を利用して形成することができる。
【００４４】
また、本実施形態の車椅子用洗面台は、次の付加的な構成を備える。すなわち、本実施形態の把持部８１は、引出部７の前面における左右方向の中央部に配置されている。この構成によれば、車椅子搭乗者は、弱い力でも効果的に引出部７を引き出すことができる。
【００４５】
また、本実施形態の車椅子用洗面台は、次の付加的な構成を備える。すなわち、本実施形態のサイドキャビネット６は、洗面ボウル２１に対し左右方向のうちのいずれか一方に配置されている。この構成によれば、本実施形態の車椅子用洗面台を壁の入隅部に配置することで、サイドキャビネット６を壁側に設置することができ、サイドキャビネット６を目立たないようにできる。
【００４６】
また、本実施形態の車椅子用洗面台は、次の付加的な構成を備える。すなわち、本実施形態の車椅子用洗面台は、カウンタ部２２と、一対の側板３とをさらに備える。カウンタ部２２は、洗面ボウル２１の周囲に設けられ、その上面が前記洗面ボウル２１の内面に連続する。一対の側板３は、洗面ボウル２１の左右方向の両側に設けられてカウンタ部２２を支持し、一対の側板３の間に脚部挿入用スペース９が形成される。一対の側板３のうち、いずれか一方の側板３には、サイドキャビネット６が隣り合って配置されている。一対の側板３のうちの他方の側板３は、少なくとも側板３の中央部から下端部にかけて、カウンタ部２２において最も前側に位置する部分よりも後方に位置するように構成されている。この構成によれば、サイドキャビネット６が設けられた車椅子用洗面台であっても、脚部挿通用スペース９に脚部を挿入した状態の搭乗者が、横方向に転回することができる。
【００４７】
また、本実施形態の車椅子用洗面台は、次の付加的な構成を備える。すなわち、本実施形態の車椅子用洗面台は、洗面ボウル２１の前方において一対の側板３に掛け渡された幕板４をさらに備えている。この構成によれば、洗面ボウル２１の裏面が露出するのを防ぐことができ、部屋の外観が損なわれるのを防ぐことができる。
【００４８】
また、本実施形態の車椅子用洗面台は、次の付加的な構成を備える。すなわち、本実施形態の取手８は、把持部８１を把持する手が、把持部８１の長さ方向のうちのいずれに対しても移動するのを規制する移動規制部を有している。この構成によれば、車椅子搭乗者が把持部８１を握って引出部７を引き出すに当たり、力を効果的に引出部７に伝えることができる。
【００４９】
また、本実施形態の車椅子用洗面台は、次の付加的な構成を備える。すなわち、本実施形態の引出部７は、複数の収納棚７１と、前板７２とを備えている。複数の収納棚７１は、上下方向に並んでおり、キャビネット本体６１に対し前方にスライド可能に構成されている。前板７２は、複数の収納棚７１の前端部に取り付けられており、前面に取手８が取り付けられている。この構成によれば、車椅子の搭乗者は、どの位置の収納棚７１を使用する場合でも、同一の取手８を引くことで引き出すことができ、すなわち、いつも同じ動作で引出部７を引き出すことができる。
【００５０】
〔応用〕
上記実施形態の設置面は、床面により構成されたが、じゅうたんが敷かれた面であってもよく、設置面は床面に限定されない。
【００５１】
上記実施形態の洗面ボウル２１の形状は、例えば、椀状に形成されてもよく、本実施形態のものに限定されない。
【００５２】
上記実施形態のミラー５は、板状に形成されたが、ミラーキャビネットにより構成されてもよい。また、照明器具５１やコンセントボックス５２は、設けられなくてもよい。
【００５３】
上記実施形態の側板は、上下方向の中央部から下端部にかけて、後方に凹むように構成されていたが、下端部から上端部にかけて、上記実施形態の下端部と同じ幅に構成されてもよい。
【００５４】
上記実施形態の取手は、側面視略Ｕ字状に形成されたが、上下方向に延びる把持部８１を有していれば、例えば、Ｌ字状であってもよい。また、取手８は、縦長に掘り込んで形成された取手であってもよい。
【００５５】
その他、上記実施形態の構成は、本発明の主旨を逸脱しない範囲であれば、適宜設計変更を行うことができる。
【符号の説明】
【００５６】
２１    洗面ボウル
２２    カウンタ部
３      側板
４      幕板
５      ミラー
６      サイドキャビネット
７      引出部
７１    収納棚
７２    前板
８      取手
８１    把持部
８２    取付部（移動規制部）
９      脚部挿入用スペース
【図１】
2018033755.tif 000003
【図２】
2018033755.tif 000004
【図３】
2018033755.tif 000005
【図４】
2018033755.tif 000006
【図５】
2018033755.tif 000007
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
車椅子搭乗者の脚部挿入用スペースと、
前記脚部挿入用スペースの上方に配置される洗面ボウルと、
前記脚部挿入用スペースの側方に配置されるサイドキャビネットと
を備え、
前記サイドキャビネットは、前面に取手が設けられて前方にスライド可能な引出部を有するものであり、
前記取手は、上下方向に延びた把持部を有し、
前記洗面ボウルの周囲に設けられ、その上面が前記洗面ボウルの内面に連続するカウンタ部をさらに備え、
前記サイドキャビネットが前記カウンタ部に隣り合って配置されており、
前記サイドキャビネットの上面が前記カウンタ部の上面よりも上方に位置し、かつ、前記サイドキャビネットにおける前記カウンタ部に隣り合う側面と前記カウンタ部の上面との入隅部に止水材が設けられ、
前記カウンタ部の後方側の縁部に立上部が形成され、
前記立上部と前記サイドキャビネットの上面が面一に配置されている
ことを特徴とする車椅子用洗面台。
【請求項２】
前記立上部に載置されたミラーをさらに備え、
前記ミラーにおける前記サイドキャビネット側の端部は、前記サイドキャビネットに載置されている
ことを特徴とする請求項１記載の車椅子用洗面台。
【請求項３】
前記把持部は、前記引出部の前面における左右方向の中央部に配置されている
ことを特徴とする請求項１または２記載の車椅子用洗面台。
【請求項４】
前記サイドキャビネットは、前記洗面ボウルに対し左右方向のうちのいずれか一方に配置されている
ことを特徴とする請求項１〜３のいずれか一項に記載の車椅子用洗面台。
【請求項５】
前記洗面ボウルの左右方向の両側に設けられて前記カウンタ部を支持し、その間に前記
脚部挿入用スペースが形成された一対の側板をさらに備え、
前記一対の側板のうち、いずれか一方の側板には前記サイドキャビネットが隣り合って配置されており、他方の側板は、少なくとも前記側板の上下方向の中央部から下端部にかけて、前記カウンタ部において最も前側に位置する部分よりも後方に位置するように構成されている
ことを特徴とする請求項４記載の車椅子用洗面台。
【請求項６】
前記洗面ボウルの前方において前記一対の側板に掛け渡された幕板をさらに備えていることを特徴とする請求項５記載の車椅子用洗面台。
【請求項７】
前記取手は、前記把持部を把持する手が、前記把持部の長さ方向のうちのいずれに対しても移動するのを規制する移動規制部を有している
ことを特徴とする請求項１〜６のいずれか一項に記載の車椅子用洗面台。
【請求項８】
前記引出部は、
上下方向に並び、前方にスライド可能な複数の収納棚と、
前記複数の収納棚の前端部に取り付けられ、前記取手が取り付けられた前板と
を有している
ことを特徴とする請求項１〜７のいずれか一項に記載の車椅子用洗面台。  
【手続補正２】
【補正対象書類名】明細書
【補正対象項目名】０００８
【補正方法】変更
【補正の内容】
【０００８】
本発明の車椅子用洗面台は、車椅子搭乗者の脚部挿入用スペースと、前記脚部挿入用スペースの上方に配置される洗面ボウルと、前記脚部挿入用スペースの側方に配置されるサイドキャビネットとを備え、前記サイドキャビネットは、前面に取手が設けられて前方にスライド可能な引出部を有するものであり、前記取手は、上下方向に延びた把持部を有し、前記洗面ボウルの周囲に設けられ、その上面が前記洗面ボウルの内面に連続するカウンタ部をさらに備え、前記サイドキャビネットが前記カウンタ部に隣り合って配置されており、前記サイドキャビネットの上面が前記カウンタ部の上面よりも上方に位置し、かつ、前記サイドキャビネットにおける前記カウンタ部に隣り合う側面と前記カウンタ部の上面との入隅部に止水材が設けられ、前記カウンタ部の後方側の縁部に立上部が形成され、前記立上部と前記サイドキャビネットの上面が面一に配置されていることを特徴とする。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
車椅子搭乗者の脚部挿入用スペースと、
前記脚部挿入用スペースの上方に配置される洗面ボウルと、
前記脚部挿入用スペースの側方に配置されるサイドキャビネットと
を備え、
前記サイドキャビネットは、前面に取手が設けられて前方にスライド可能な引出部を有するものであり、
前記取手は、上下方向に延びた把持部を有し、
前記洗面ボウルの周囲に設けられ、その上面が前記洗面ボウルの内面に連続するカウンタ部をさらに備え、
前記サイドキャビネットが前記カウンタ部に隣り合って配置されており、
前記サイドキャビネットの上面が前記カウンタ部の上面よりも上方に位置し、かつ、前記サイドキャビネットにおける前記カウンタ部に隣り合う側面と前記カウンタ部の上面との入隅部に止水材が設けられ、
前記カウンタ部の後方側の縁部に立上部が形成され、
前記立上部と前記サイドキャビネットの上面が面一に配置されており、
前記立上部に載置されたミラーをさらに備え、
前記ミラーにおける前記サイドキャビネット側の端部は、前記サイドキャビネットに載置されている
ことを特徴とする車椅子用洗面台。
【請求項２】
前記把持部は、前記引出部の前面における左右方向の中央部に配置されている
ことを特徴とする請求項１記載の車椅子用洗面台。
【請求項３】
前記サイドキャビネットは、前記洗面ボウルに対し左右方向のうちのいずれか一方に配置されている
ことを特徴とする請求項１または２記載の車椅子用洗面台。
【請求項４】
前記洗面ボウルの左右方向の両側に設けられて前記カウンタ部を支持し、その間に前記
脚部挿入用スペースが形成された一対の側板をさらに備え、
前記一対の側板のうち、いずれか一方の側板には前記サイドキャビネットが隣り合って配置されており、他方の側板は、少なくとも前記側板の上下方向の中央部から下端部にかけて、前記カウンタ部において最も前側に位置する部分よりも後方に位置するように構成されている
ことを特徴とする請求項３記載の車椅子用洗面台。
【請求項５】
前記洗面ボウルの前方において前記一対の側板に掛け渡された幕板をさらに備えていることを特徴とする請求項４記載の車椅子用洗面台。
【請求項６】
前記取手は、前記把持部を把持する手が、前記把持部の長さ方向のうちのいずれに対しても移動するのを規制する移動規制部を有している
ことを特徴とする請求項１〜５のいずれか一項に記載の車椅子用洗面台。
【請求項７】
前記引出部は、
上下方向に並び、前方にスライド可能な複数の収納棚と、
前記複数の収納棚の前端部に取り付けられ、前記取手が取り付けられた前板と
を有している
ことを特徴とする請求項１〜６のいずれか一項に記載の車椅子用洗面台。  
【手続補正２】
【補正対象書類名】明細書
【補正対象項目名】０００８
【補正方法】変更
【補正の内容】
【０００８】
本発明の車椅子用洗面台は、車椅子搭乗者の脚部挿入用スペースと、前記脚部挿入用スペースの上方に配置される洗面ボウルと、前記脚部挿入用スペースの側方に配置されるサイドキャビネットとを備え、前記サイドキャビネットは、前面に取手が設けられて前方にスライド可能な引出部を有するものであり、前記取手は、上下方向に延びた把持部を有し、前記洗面ボウルの周囲に設けられ、その上面が前記洗面ボウルの内面に連続するカウンタ部をさらに備え、前記サイドキャビネットが前記カウンタ部に隣り合って配置されており、前記サイドキャビネットの上面が前記カウンタ部の上面よりも上方に位置し、かつ、前記サイドキャビネットにおける前記カウンタ部に隣り合う側面と前記カウンタ部の上面との入隅部に止水材が設けられ、前記カウンタ部の後方側の縁部に立上部が形成され、前記立上部と前記サイドキャビネットの上面が面一に配置されており、前記立上部に載置されたミラーをさらに備え、前記ミラーにおける前記サイドキャビネット側の端部は、前記サイドキャビネットに載置されていることを特徴とする。